(57)【要約】【課題】収容ケースに配設されるグロメットの組付作業性を向上させることができる電力変換装置を提供すること。【解決手段】電力変換装置において、収容ケース５は、開口端５０から側壁５２を切り欠いて形成された切欠部５３を有する。切欠部５３には、収容ケース５と冷却器３の導入管３３及び排出管３４との間を密封するグロメット６が配設されている。グロメット６は、切欠部５３に対して挿通方向Ｘに挿入して配置されていると共に、挿通孔６１９を設けた本体部６１と、本体部６１の外周面６１０から突出し、切欠部５３の内壁面５３１に押圧接触する突起部６２とを有する。本体部６１の反挿入側端部６１２には、グロメット６の挿通方向Ｘの位置決めをするための位置決め部６３が設けられている。本体部６１の挿入側端部６１１は、グロメット６が位置決め部６３によって位置決めされた状態において、収容ケース５の側壁５２よりも突出している。【選択図】図６
2014003136.tif 000002
【特許請求の範囲】
【請求項１】
電力変換回路の一部を構成する電子部品（２）と、
該電子部品（２）を冷却する冷却器（３）と、
上記電子部品（２）及び上記冷却器（３）を収容する収容ケース（５）とを備え、
上記冷却器（３）は、冷媒を導入する導入管（３３）と、冷媒を排出する排出管（３４）とを有し、
上記収容ケース（５）は、少なくとも一方を開口してなると共に、その開口端（５０）から側壁（５２、５２ａ）を切り欠いて形成され、上記導入管（３３）と上記排出管（３４）とをそれぞれ挿通させる切欠部（５３）を有し、
該切欠部（５３）には、上記収容ケース（５）と上記導入管（３３）及び上記排出管（３４）との間を密封するグロメット（６）が配設されており、
該グロメット（６）は、上記切欠部（５３）に対して上記導入管（３３）及び上記排出管（３４）の挿通方向（Ｘ）に挿入配置されていると共に、上記導入管（３３）及び上記排出管（３４）を挿通させる挿通孔（６１９）を設けた本体部（６１）と、該本体部（６１）の外周面（６１０）から突出し、上記切欠部（５３）の内壁面（５３１）に押圧接触する突起部（６２）とを有し、
上記本体部（６１）の反挿入側端部（６１２）には、上記グロメット（６）の上記挿通方向（Ｘ）の位置決めをするための位置決め部（６３）が設けられており、
上記本体部（６１）の挿入側端部（６１１）は、上記グロメット（６）が上記位置決め部（６３）によって位置決めされた状態において、上記収容ケース（５）の上記側壁（５２、５２ａ）よりも突出していることを特徴とする電力変換装置（１）。
【請求項２】
請求項１に記載の電力変換装置（１）において、上記グロメット（６）の上記本体部（６１）の上記挿入側端部（６１１）は、その先端から上記突起部（６２）までの部分の少なくとも一部が上記収容ケース（５）の上記側壁（５２、５２ａ）よりも突出していることを特徴とする電力変換装置（１）。
【請求項３】
請求項１又は２に記載の電力変換装置（１）において、上記グロメット（６）の上記本体部（６１）の上記位置決め部（６３）は、上記本体部（６１）の上記外周面（６１０）から突出して形成され、上記収容ケース（５）の上記側壁（５２、５２ａ）に対して上記挿通方向（Ｘ）に当接する当接部（６３１）を有することを特徴とする電力変換装置（１）。
【請求項４】
請求項１〜３のいずれか１項に記載の電力変換装置（１）において、上記切欠部（５３）を設けた上記収容ケース（５）の上記側壁（５２、５２ａ）における上記グロメット（６）を挿入する側の表面（５２２）と、上記切欠部（５３）の上記内壁面（５３１）との間には、面取部（５４）が設けられていることを特徴とする電力変換装置（１）。
【発明の詳細な説明】
【技術分野】
【０００１】
本発明は、半導体モジュール等の電子部品を備えた電力変換装置に関する。
【背景技術】
【０００２】
電気自動車やハイブリッド自動車等の車両等には、インバータやＤＣ−ＤＣコンバータ等の電力変換装置が搭載されている。
電力変換装置としては、例えば、電力変換回路の一部を構成する半導体モジュール等の電子部品、該電子部品を冷却する冷却器、電子部品及び冷却器を収容する収容ケース等を備えたものがある。
【０００３】
冷却器は、冷媒を導入する導入管と、冷媒を排出する排出管とを有する。また、収容ケースには、冷却器の導入管と排出管とをそれぞれ挿通させる切欠部が設けられている。そして、該切欠部には、導入管及び排出管と収容ケースとの間を密封（シール）する弾性部材からなるグロメットが配設されている。このようにして、収容ケース外部からの水の浸入を防いでいる。
【０００４】
例えば、特許文献１には、グロメット（シール材）の外周面に複数の突起部を設けた電力変換装置が開示されている。これによれば、突起部は、グロメットの外周全体に渡って環状に形成されている。そして、グロメットは、突起部を収容ケースの切欠部の内壁面に押圧接触させた状態で切欠部内に配設され、冷却器の導入管及び排出管と収容ケースとの間を密封（シール）している。
【先行技術文献】
【特許文献】
【０００５】
【特許文献１】特開２０１１−８６７６１号公報
【発明の概要】
【発明が解決しようとする課題】
【０００６】
しかしながら、上記特許文献１に開示された電力変換装置において、弾性部材からなるグロメットは、収容ケースの切欠部の開口側（切欠側）から切欠部内に挿入配置される。このとき、例えば、切欠部内に挿入配置したグロメットを切欠部の開口側から見た場合、グロメットの突起部全体を目視で確認することはできない。そのため、グロメットを切欠部内に挿入配置した状態において、グロメットの突起部が切欠部内に確実に配置されているか、突起部が切欠部の内壁面に押圧接触して密封（シール）できる状態にあるかを判断することが難しい場合がある。
【０００７】
本発明は、かかる背景に鑑みてなされたもので、収容ケースに配設されるグロメットの組付作業性を向上させることができる電力変換装置を提供しようとするものである。
【課題を解決するための手段】
【０００８】
本発明の一の態様は、電力変換回路の一部を構成する電子部品と、
該電子部品を冷却する冷却器と、
上記電子部品及び上記冷却器を収容する収容ケースとを備え、
上記冷却器は、冷媒を導入する導入管と、冷媒を排出する排出管とを有し、
上記収容ケースは、少なくとも一方を開口してなると共に、その開口端から側壁を切り欠いて形成され、上記導入管と上記排出管とをそれぞれ挿通させる切欠部を有し、
該切欠部には、上記収容ケースと上記導入管及び上記排出管との間を密封するグロメットが配設されており、
該グロメットは、上記切欠部に対して上記導入管及び上記排出管の挿通方向に挿入配置されていると共に、上記導入管及び上記排出管を挿通させる挿通孔を設けた本体部と、該本体部の外周面から突出し、上記切欠部の内壁面に押圧接触する突起部とを有し、
上記本体部の反挿入側端部には、上記グロメットの上記挿通方向の位置決めをするための位置決め部が設けられており、
上記本体部の挿入側端部は、上記グロメットが上記位置決め部によって位置決めされた状態において、上記収容ケースの上記側壁よりも突出していることを特徴とする電力変換装置にある（請求項１）。
【発明の効果】
【０００９】
上記電力変換装置において、収容ケースと冷却器の導入管及び排出管との間を密封するグロメットは、収容ケースの切欠部に対して導入管及び排出管の挿通方向に挿入配置されている。また、グロメットの本体部の反挿入側端部には、グロメットの上記挿通方向の位置決めをするための位置決め部が設けられている。そして、本体部の挿入側端部は、グロメットが位置決め部によって位置決めされた状態において、収容ケースの側壁よりも突出している。
【００１０】
そのため、グロメットを収容ケースの切欠部内に挿入配置する際、グロメットが位置決め部によって位置決めされた状態において、本体部の挿入側端部が収容ケースの側壁よりも突出しているかどうかを目視で確認することにより、グロメットが収容ケースの切欠部に確実に組み付けられているかどうかを確認することができる。すなわち、グロメットの突起部が切欠部内に確実に配置されているか、突起部が切欠部の内壁面に押圧接触して密封（シール）できる状態にあるかを目視で容易に確認することができる。これにより、グロメットを収容ケースの切欠部に確実に組み付けることができ、グロメットの組付作業性を向上させることができる。
【００１１】
このように、収容ケースに配設されるグロメットの組付作業性を向上させることができる電力変換装置を提供することができる。
【図面の簡単な説明】
【００１２】
【図１】実施例１における、電力変換装置を示す平面図。
【図２】実施例１における、切欠部にグロメットを配設した状態の収容ケース及びケース蓋部を示す説明図。
【図３】実施例１における、切欠部を設けた収容ケースの側壁を示す側面図。
【図４】実施例１における、グロメットを反挿入側から見た正面図
【図５】実施例１における、グロメットを挿入側から見た正面図。
【図６】実施例１における、収容ケースの切欠部に挿入配置したグロメットを示す平面図。
【図７】実施例１における、収容ケースの切欠部に挿入配置したグロメットを示す側面説明図。
【図８】実施例１における、収容ケースの切欠部にグロメットを挿入配置する手順を示す平面説明図。
【図９】実施例１における、収容ケースの切欠部にグロメットを挿入配置する手順を示す平面説明図。
【図１０】実施例２における、収容ケースの切欠部に挿入配置したグロメットを示す平面図。
【図１１】実施例２における、収容ケースの切欠部に挿入配置したグロメットを示す側面説明図。
【図１２】実施例２における、収容ケースの切欠部に挿入配置したグロメットを示す平面図。
【図１３】実施例２における、収容ケースの切欠部に挿入配置したグロメットを示す側面説明図。
【発明を実施するための形態】
【００１３】
上記電力変換装置において、上記グロメットには、上述したとおり、上記本体部の外周面から突出し、上記切欠部の内壁面に押圧接触する突起部が設けられている。すなわち、この突起部は、収容ケースの切欠部の内壁面に押圧接触することにより、収容ケースとの間を密封（シール）している。また、突起部は、グロメットに１つ設けられていてもよいし、複数設けられていてもよい。
【００１４】
また、上記グロメットの上記本体部において、上記挿入側端部とは、収容ケースの切欠部に対して挿入される側の端部のことをいう。また、上記反挿入側端部とは、収容ケースの切欠部に対して挿入される側とは反対側の端部のことをいう。
また、上記グロメットは、収容ケースの切欠部に対して、収容ケースの外側から挿入してもよいし、収容ケースの内側から挿入してもよい。
【００１５】
また、上記グロメットの上記本体部の上記挿入側端部は、その先端から上記突起部までの部分の少なくとも一部が上記収容ケースの上記側壁よりも突出している構成とすることができる（請求項２）。
この場合には、グロメットが位置決め部によって位置決めされ、本体部の挿入側端部が収容ケースの側壁よりも突出している状態において、突起部が収容ケースの切欠部内に確実に配置されているように、突起部が切欠部の内壁面に押圧接触して密封（シール）できる状態となるようにすることができる。これにより、グロメットの組付作業性をさらに向上させることができる。
なお、グロメットに複数の突起部が設けられている場合、本体部の挿入側端部の先端から突起部までの部分とは、挿入側端部の先端からその先端に最も近い突起部までの部分のことをいう。
【００１６】
また、上記グロメットの上記本体部の上記位置決め部は、上記本体部の上記外周面から突出して形成され、上記収容ケースの上記側壁に対して上記挿通方向に当接する当接部を有する構成とすることができる（請求項３）。
この場合には、グロメットを収容ケースの切欠部に対して上記挿通方向に挿入する際に、グロメットの当接部を収容ケースの側壁に当接させることにより、グロメットの上記挿通方向の位置決めを容易かつ確実に行うことができる。これにより、グロメットの組付作業性をさらに向上させることができる。
【００１７】
また、上記切欠部を設けた上記収容ケースの上記側壁における上記グロメットを挿入する側の表面と、上記切欠部の上記内壁面との間には、面取部が設けられている構成とすることができる（請求項４）。
この場合には、グロメットを収容ケースの切欠部に対して上記挿通方向に挿入しやすくなる。これにより、グロメットの組付作業性をさらに向上させることができる。
なお、面取部は、テーパ状や曲面状等、種々の形状とすることができる。
【実施例】
【００１８】
（実施例１）
上記電力変換装置にかかる実施例について、図を用いて説明する。
本例の電力変換装置１は、図１〜図７に示すごとく、電力変換回路の一部を構成する半導体モジュール（電子部品）２と、半導体モジュール２を冷却する冷却器３と、半導体モジュール２及び冷却器３を収容する収容ケース５とを備えている。冷却器３は、冷媒を導入する導入管３３と、冷媒を排出する排出管３４とを有する。収容ケース５は、少なくとも一方を開口してなると共に、その開口端５０から側壁５２を切り欠いて形成され、導入管３３と排出管３４とをそれぞれ挿通させる切欠部５３を有する。切欠部５３には、収容ケース５と導入管３３及び排出管３４との間を密封するグロメット６が配設されている。
【００１９】
同図に示すごとく、グロメット６は、切欠部５３に対して導入管３３及び排出管３４の挿通方向Ｘに挿入配置されていると共に、導入管３３及び排出管３４を挿通させる挿通孔６１９を設けた本体部６１と、本体部６１の外周面６１０から突出し、切欠部５３の内壁面５３１に押圧接触する突起部６２とを有する。本体部６１の反挿入側端部６１２には、グロメット６の挿通方向Ｘの位置決めをするための位置決め部６３が設けられている。本体部６１の挿入側端部６１１は、グロメット６が位置決め部６３によって位置決めされた状態において、収容ケース５の側壁５２よりも突出している。
以下、これを詳説する。
【００２０】
図１に示すごとく、電力変換装置１は、電力変換回路の一部を構成する電子部品である半導体モジュール２を複数備えている。各半導体モジュール２には、ＩＧＢＴ（絶縁ゲート型バイポーラトランジスタ）等のスイッチング素子が内蔵されている。
冷却器３は、内部に冷媒流路を形成した複数の冷却管３１を有する。複数の冷却管３１と複数の半導体モジュール２とは、交互に積層されて積層体１１を構成している。
【００２１】
同図に示すごとく、冷却器３において、隣接する冷却管３１同士は、その両端部において変形可能な連結管３２によって連結されている。また、複数の冷却管３１のうち、積層方向（半導体モジュール２と冷却器３の冷却管３１とが積層されている方向）の一端に配置された冷却管３１の両端部には、収容ケース５の外部から冷媒を導入する導入管３３と、収容ケース５の外部に冷媒を排出する排出管３４とが連結されている。
【００２２】
これにより、収容ケース５の外部から導入管３３に導入された冷媒は、導入管３３側の連結管３２を適宜通り、各冷却管３１に分配されると共にその長手方向に流通する。各冷却管３１を流通する冷媒は、半導体モジュール２との間で熱交換を行う。熱交換後の冷媒は、排出管３４側の連結管３２を適宜通り、排出管３４から収容ケース５の外部に排出される。
【００２３】
なお、冷媒としては、例えば、水やアンモニア等の自然冷媒、エチレングリコール系の不凍液を混入した水、フロリナート等のフッ化炭素系冷媒、ＨＣＦＣ１２３、ＨＦＣ１３４ａ等のフロン系冷媒、メタノール、アルコール等のアルコール系冷媒、アセトン等のケトン系冷媒等の冷媒を用いることができる。
【００２４】
同図に示すごとく、複数の半導体モジュール２及び冷却器３は、これらを四方から囲むフレーム４に保持された状態で収容ケース５内に収容されている。フレーム４における上記積層方向の一方側の壁部４０１には、冷却器３の導入管３３及び排出管３４を支承する支承凹部４１が設けられている。
【００２５】
また、複数の半導体モジュール２と複数の冷却管３１とにより構成された積層体１１は、上記積層方向の一方側において、フレーム４の壁部４０１に当接している。また、積層体１１とフレーム４における上記積層方向の他方側の壁部４０２との間には、バネ部材４２が配置されている。そして、積層体１１は、当接板４３を介して、上記積層方向の他方側からバネ部材４２によって押圧されている。
【００２６】
同図に示すごとく、収容ケース５は、四角形板状の底部５１と、その底部５１から立設された４つの側壁５２とを有しており、一方を開口してなる箱型形状である。また、収容ケース５は、アルミニウム等の熱伝導性に優れた金属の鋳造品からなる。
収容ケース５の４つの側壁５２のうち、冷却器３の導入管３３及び排出管３４を挿通させる側壁５２ａには、２つの切欠部５３が設けられている。
【００２７】
図３に示すごとく、切欠部５３は、収容ケース５の開口端５０から側壁５２ａを略半楕円形状に切り欠いて形成され、側壁５２ａを厚み方向に貫通してなる。切欠部５３の内壁面５３１は、側壁５２ａを貫通する方向から見た場合にＵ字形状となっている。
図６、図７に示すごとく、収容ケース５の側壁５２ａの外表面（グロメット６を挿入する側の表面）５２２と、切欠部５３の内壁面５３１との間には、テーパ状の面取部５４が設けられている。
【００２８】
図４、図５に示すごとく、グロメット６は、略半楕円柱状の本体部６１と、本体部６１の外周面６１０から径方向に突出した２つの突起部６２とを有する。突起部６２は、本体部６１の外周全体に渡って環状に設けられている。
本体部６１には、本体部６１を挿通方向Ｘに貫通して形成された挿通孔６１９が設けられている。また、本体部６１の反挿入側端部６１２には、グロメット６の挿通方向Ｘの位置決めをするための位置決め部６３が設けられている。位置決め部６３は、収容ケース５の側壁５２ａに対して挿通方向Ｘに当接する当接部６３１を有する。当接部６３１は、本体部６１の外周面６１０から径方向に突出して形成されている。
【００２９】
図６、図７に示すごとく、グロメット６は、収容ケース５の切欠部５３に対して、収容ケース５の外側から導入管３３及び排出管３４の挿通方向Ｘに挿入して配置されている。また、本体部６１の挿通孔６１９には、冷却器３の導入管３３及び排出管３４が挿通配置されている。また、突起部６２は、収容ケース５の切欠部５３の内壁面５３１及び後述するケース蓋部５９（図２）に押圧接触しており、収容ケース５及びケース蓋部５９との間を密封（シール）している。
【００３０】
同図に示すごとく、本体部６１の位置決め部６３（当接部６３１）は、収容ケース５の側壁５２ａの外表面５２２に対して挿通方向Ｘに当接している。また、本体部６１の挿入側端部６１１は、グロメット６が位置決め部６３によって位置決めされた状態において、収容ケース５の側壁５２ａよりも突出している。具体的には、本体部６１の挿入側端部６１１の先端からその先端に最も近い突起部６２までの部分の一部が収容ケース５の側壁５２ａの内表面５２１よりも突出している。
【００３１】
図２に示すごとく、収容ケース５の開口端５０（図１）には、その開口端５０を覆うケース蓋部５９が配設されている。ケース蓋部５９は、鋼板をプレス成形することにより形成されている。また、ケース蓋部５９は、収容ケース５の側壁５２との間にシール材等を介在させ、ボルト等を用いて収容ケース５に締結固定されている。
【００３２】
次に、収容ケース５の切欠部５３にグロメット６を組み付ける手順を説明する。
まず、図８に示すごとく、収容ケース５の切欠部５３に挿通配置された冷却器３の導入管３３（排出管３４）にグロメット６を外嵌させ、グロメット６の本体部６１の挿通孔６１９に冷却器３の導入管３３（排出管３４）を挿通させる。
【００３３】
次いで、図９に示すごとく、冷却器３の導入管３３（排出管３４）にグロメット６を外嵌させた状態で、グロメット６を収容ケース５の切欠部５３に向かって挿通方向Ｘに移動させる。そして、グロメット６の位置決め部６３（当接部６３１）を収容ケース５の側壁５２ａの外表面５２２に当接させ、グロメット６の挿通方向Ｘの位置決めをする。
【００３４】
これにより、図６、図７に示すごとく、収容ケース５の切欠部５３内にグロメット６が挿入配置される。このとき、グロメット６の本体部６１の挿入側端部６１１は、収容ケース５の側壁５２ａの内表面５２１よりも突出している。このことを目視で確認することにより、グロメット６が収容ケース５の切欠部５３に確実に組み付けられていることを確認する。
以上により、収容ケース５の切欠部５３にグロメット６を組み付ける。
【００３５】
また、収容ケース５の切欠部５３にグロメット６を組み付けた後、図２に示すごとく、収容ケース５の開口端５０を覆うようにケース蓋部５９を配置する。そして、グロメット６は、突起部６２を収容ケース５の切欠部５３の内壁面５３１（図６、図７）及びケース蓋部５９に押圧接触させた状態で、収容ケース５及びケース蓋部５９との間を密封（シール）する。
【００３６】
次に、本例の電力変換装置１における作用効果について説明する。
本例の電力変換装置１において、収容ケース５と冷却器３の導入管３３及び排出管３４との間を密封するグロメット６は、収容ケース５の切欠部５３に対して導入管３３及び排出管３４の挿通方向Ｘに挿入配置されている。また、グロメット６の本体部６１の反挿入側端部６１２には、グロメット６の挿通方向Ｘの位置決めをするための位置決め部６３が設けられている。そして、本体部６１の挿入側端部６１１は、グロメット６が位置決め部６３によって位置決めされた状態において、収容ケース５の側壁５２（５２ａ）よりも突出している。
【００３７】
そのため、グロメット６を収容ケース５の切欠部５３内に挿入配置する際、グロメット６が位置決め部６３によって位置決めされた状態において、本体部６１の挿入側端部６１１が収容ケース５の側壁５２（５２ａ）よりも突出しているかどうかを目視で確認することにより、グロメット６が収容ケース５の切欠部５３に確実に組み付けられているかどうかを確認することができる。すなわち、グロメット６の突起部６２が切欠部５３内に確実に配置されているか、突起部６２が切欠部５３の内壁面５３１に押圧接触して密封（シール）できる状態にあるかを目視で容易に確認することができる。これにより、グロメット６を収容ケース５の切欠部５３に確実に組み付けることができ、グロメット６の組付作業性を向上させることができる。
【００３８】
また、本例において、グロメット６の本体部６１の挿入側端部６１１は、その先端から突起部６２までの部分の少なくとも一部が収容ケース５の側壁５２（５２ａ）よりも突出している。そのため、グロメット６が位置決め部６３によって位置決めされ、本体部６１の挿入側端部６１１が収容ケース５の側壁５２（５２ａ）よりも突出している状態において、突起部６２が収容ケース５の切欠部５３内に確実に配置されているように、突起部６２が切欠部５３の内壁面５３１に押圧接触して密封（シール）できる状態となるようにすることができる。これにより、グロメット６の組付作業性をさらに向上させることができる。
【００３９】
また、グロメット６の本体部６１の位置決め部６３は、本体部６１の外周面６１０から突出して形成され、収容ケース５の側壁５２（５２ａ）に対して挿通方向Ｘに当接する当接部６３１を有する。そのため、グロメット６を収容ケース５の切欠部５３に対して挿通方向Ｘに挿入する際に、グロメット６の当接部６３１を収容ケース５の側壁５２（５２ａ）に当接させることにより、グロメット６の挿通方向Ｘの位置決めを容易かつ確実に行うことができる。これにより、グロメット６の組付作業性をさらに向上させることができる。
【００４０】
また、切欠部５３を設けた収容ケース５の側壁５２（５２ａ）におけるグロメット６を挿入する側の表面（外表面５２２）と、切欠部５３の内壁面５３１との間には、面取部５４が設けられている。そのため、グロメット６を収容ケース５の切欠部５３に対して挿通方向Ｘに挿入しやすくなる。これにより、グロメット６の組付作業性をさらに向上させることができる。
【００４１】
このように、本例によれば、収容ケース５に配設されるグロメット６の組付作業性を向上させることができる電力変換装置１を提供することができる。
【００４２】
なお、本例では、図１に示すごとく、冷却器３の冷媒流路を冷却管３１内に設け、その冷却管３１を半導体モジュール２に接触させる構成としたが、例えば、半導体モジュール２に直接冷媒が接触するように冷却器３の冷媒流路を設ける構成とすることもできる。
また、本例では、同図に示すごとく、バネ部材４２を積層体１１の上記積層方向の他方側に配置し、積層体１１を上記積層方向の他方側からバネ部材４２によって押圧する構成としたが、例えば、バネ部材４２を積層体１１の上記積層方向の一方側に配置し、積層体１１を上記積層方向の一方側からバネ部材４２によって押圧する構成とすることもできる。
【００４３】
（実施例２）
本例は、図１０〜図１３に示すごとく、グロメット６の形状を変更した例である。
図１０、図１１に示す例では、グロメット６の本体部６１には、挿入側端部６１１の先端面６１３から挿通方向Ｘに突出する突出部６１４が設けられている。突出部６１４は、挿入側端部６１１の先端面６１３における切欠部５３の反開口側（切欠部５３の開口側とは反対側）の端部に設けられている。
その他の基本的な構成は、実施例１と同様である。
【００４４】
図１２、図１３に示す例では、グロメット６の本体部６１は、挿入側端部６１１の先端面６１３が傾斜している。そして、挿入側端部６１１の先端面６１３は、上記反開口側へ行くほど挿通方向Ｘに突出している。
その他の基本的な構成は、実施例１と同様である。
【００４５】
本例の場合における作用効果について説明する。
グロメット６の本体部６１において、挿入側端部６１１における切欠部５３の反開口側部分は、収容ケース５の側壁５２（５２ａ）よりも突出していることを他の部分に比べて目視で確認しにくい場合がある。このような部分を他の部分よりも挿通方向Ｘに突出させておくことにより、グロメット６が収容ケース５の切欠部５３に確実に組み付けられているかを確認する作業がさらに容易となる。これにより、グロメット６の組付作業性をより一層向上させることができる。
その他の基本的な作用効果は、実施例１と同様である。
【符号の説明】
【００４６】
１  電力変換装置
２  半導体モジュール（電子部品）
３  冷却器
３３  導入管
３４  排出管
５  収容ケース
５０  開口端
５２  側壁
５３  切欠部
５３１  内壁面
６  グロメット
６１  本体部
６１０  外周面（本体部の外周面）
６１１  挿入側端部
６１２  反挿入側端部
６１９  挿通孔
６２  突起部
６３  位置決め部
Ｘ  挿通方向
【図１】
2014003136.tif 000003
【図２】
2014003136.tif 000004
【図３】
2014003136.tif 000005
【図４】
2014003136.tif 000006
【図５】
2014003136.tif 000007
【図６】
2014003136.tif 000008
【図７】
2014003136.tif 000009
【図８】
2014003136.tif 000010
【図９】
2014003136.tif 000011
【図１０】
2014003136.tif 000012
【図１１】
2014003136.tif 000013
【図１２】
2014003136.tif 000014
【図１３】
2014003136.tif 000015